(57)【要約】      （修正有）【課題】無線端末固有の端末ＩＤを割り当てる初期設定時における通信安定性及び利便性をそれぞれ高める。【解決手段】子機１に接続される親機２と無線通信が可能な無線端末３ａ、３ｂ固有の端末ＩＤについて初期設定を行うにあたり、親機ＣＰＵ及び端末ＣＰＵのそれぞれの制御によって、親機接触部２０４及び端末接触部３０４に人体の部位が接触されている当該人体を経由して通信路が形成され、操作部２０３、３０３の操作がトリガとなって端末ＩＤのデータ送信が行われるばかりでなく、記憶部に端末ＩＤが保存される。また、親機ＣＰＵが有するマルチタスク機能により、特定の無線端末が端末ＩＤのデータ送信を行うための端末ＩＤ設定中であっても、特定の無線端末以外の無線端末を呼び出して通話を成立させる。さらに、親機接触部及び端末接触部をそれぞれ、操作部と一体で設ける。【選択図】図１
2010057060.tif 000002
【特許請求の範囲】
【請求項１】
住戸外に設置される子機（１）と、住戸内に設置され、前記子機からの呼び出しに応答して通話を成立させるための親機（２）と、前記親機との間で無線通信を行い、前記子機からの前記呼び出しに応答して通話を成立させるための複数の無線端末（３ａ、３ｂ）とを設け、
前記無線端末に、当該無線端末固有の端末ＩＤを割り当てる初期設定を行うにあたり、前記親機及び前記無線端末は、人体の部位が接触され、親機ＣＰＵ（２０９）に接続される親機接触部（２０４）及び前記人体の部位が接触され、端末ＣＰＵ（３０９）に接続される端末接触部（３０４）をそれぞれ有し、
前記親機接触部及び前記端末接触部に前記人体の部位がそれぞれ接触されている当該人体を経由して通信路が形成されている状態で、前記親機及び前記無線端末のうち少なくとも一方には、他方に前記端末ＩＤをデータ送信するための操作部（２０３、３０３）を備え、
前記親機及び前記無線端末には、前記端末ＩＤを保存するための記憶部（２０８、３０８）をそれぞれ備えることを特徴とするワイヤレスインターホンシステム。
【請求項２】
前記親機ＣＰＵは、特定の無線端末が前記端末ＩＤのデータ送信を行うための端末ＩＤ設定中であるとき、前記特定の無線端末以外の当該無線端末を呼び出して通話を成立させるマルチタスク機能を備えていることを特徴とする請求項１記載のワイヤレスインターホンシステム。
【請求項３】
前記親機接触部及び前記端末接触部はそれぞれ、前記操作部と一体で設けられることを特徴とする請求項１記載のワイヤレスインターホンシステム。
【発明の詳細な説明】
【技術分野】
【０００１】
本発明は、子機に接続される親機との間で無線通信が可能な無線端末を有するワイヤレスインターホンシステムに係り、特に、無線端末固有の端末ＩＤを割り当てることができるワイヤレスインターホンシステムに関する。
【背景技術】
【０００２】
従来から、この種のワイヤレスインターホンシステムとして、携帯帯端末固有の端末ＩＤ情報を乗せて無線信号で居室親機に送信し、この端末ＩＤ情報を受けて居室親機が制御対象の電気機器又は部屋を特定し、制御することができるインターホン装置が開示されている（例えば、特許文献１を参照。）。
【０００３】
このインターホン装置によれば、携帯端末別に制御する電気機器を指定でき、例えば、主婦が使用する携帯端末と、夫が使用する携帯端末とで制御対象を区分けでき、携帯端末を所持する人に合わせて設定し直す必要が無くなり便利であるし、設定間違いを防ぐことができる。
【０００４】
【特許文献１】特開２００７−２３５２３０号公報
【発明の開示】
【発明が解決しようとする課題】
【０００５】
背景技術に記載したインターホン装置において、端末ＩＤ情報は、通常、携帯端末固有に予め割り当てられており、新規に当該装置を構築する場合や既存の当該装置に別途の携帯端末を追加する場合には、端末ＩＤ情報の初期設定を行い、その端末ＩＤ情報を設定先の携帯端末及び居室親機にそれぞれ保存する必要がある。
【０００６】
しかしながら、前述の初期設定を行うにあたって、設定先の携帯端末及び居室親機にてそれぞれ所定の操作を行うと、無線通信のための通信路が確立されるまでの間、当該装置の同期に時間を要し、外部ノイズ等の周囲環境の影響により安定した無線通信が困難となる難点があった。
【０００７】
本発明は、この難点を解消するためになされたもので、無線端末固有の端末ＩＤを割り当てる初期設定時における通信安定性及び利便性をそれぞれ高めたワイヤレスインターホンシステムを提供することを目的としている。
【課題を解決するための手段】
【０００８】
前述の目的を達成するため、本発明の第１の態様であるワイヤレスインターホンシステムは、住戸外に設置される子機と、住戸内に設置され、子機からの呼び出しに応答して通話を成立させるための親機と、親機との間で無線通信を行い、子機からの呼び出しに応答して通話を成立させるための複数の無線端末とを設けている。無線端末に、当該無線端末固有の端末ＩＤを割り当てる初期設定を行うにあたり、親機及び無線端末は、人体の部位が接触され、親機ＣＰＵに接続される親機接触部及び人体の部位が接触され、端末ＣＰＵに接続される端末接触部をそれぞれ有している。親機接触部及び端末接触部に人体の部位がそれぞれ接触されている当該人体を経由して通信路が形成されている状態で、親機及び無線端末のうち少なくとも一方には、他方に無線端末固有の端末ＩＤをデータ送信するための操作部を備えている。親機及び無線端末には、端末ＩＤを保存するための記憶部をそれぞれ備えている。
【０００９】
また、本発明の第２の態様であるワイヤレスインターホンシステムは、本発明の第１の態様において、親機ＣＰＵは、特定の無線端末が前記端末ＩＤのデータ送信を行うための端末ＩＤ設定中であるとき、特定の無線端末以外の無線端末を呼び出して通話を成立させるマルチタスク機能を備えている。
【００１０】
また、本発明の第３の態様であるワイヤレスインターホンシステムは、本発明の第１の態様において、親機接触部及び端末接触部はそれぞれ、操作部と一体で設けられている。
【発明の効果】
【００１１】
本発明のワイヤレスインターホンシステムによれば、子機に接続される親機と無線通信が可能な無線端末固有の端末ＩＤについて初期設定を行うにあたり、親機ＣＰＵ及び端末ＣＰＵのそれぞれの制御によって、親機接触部及び端末接触部に人体の部位が接触されている当該人体を経由して通信路が形成され、操作部の操作がトリガとなって端末ＩＤのデータ送信が行われるばかりでなく、記憶部に端末ＩＤが保存されることになる。これにより、無線通信と比較して、その通信路が確立されるまでの間における当該装置の同期に時間を要することがなく、また、外部ノイズ等の周囲環境の影響がないため、安定したデータ通信が可能となる。
【００１２】
また、本発明のワイヤレスインターホンシステムによれば、親機の親機ＣＰＵにマルチタスク機能が備えられているため、特定の無線端末が端末ＩＤのデータ送信を行うための端末ＩＤ設定中であっても、特定の無線端末以外の無線端末を呼び出して通話を成立させることができる。
【００１３】
さらに、本発明のワイヤレスインターホンシステムによれば、親機の親機接触部及び端末接触部はそれぞれ、操作部と一体で設けられているため、無線端末固有の端末ＩＤの初期設定を行うにあたり、その設定操作の利便性を高めることができる。
【発明を実施するための最良の形態】
【００１４】
以下、本発明のワイヤレスインターホンシステムを適用した最良の実施の形態例について、図面を参照して説明する。
【００１５】
図１は、本発明の実施例によるワイヤレスインターホンシステムの全体構成を示すシステム説明図である。このワイヤレスインターホンシステムは、住戸外に設置される子機１と、住戸内に設置され、伝送路Ｌを経由して有線接続される子機１からの呼び出しに応答して通話を成立させるための親機２と、親機２との間で無線通信を行い、子機１からの呼び出しに応答して通話を成立させるための複数の無線端末、ここでは、２台の無線端末３ａ、３ｂとが設けられている。
【００１６】
図１に示す子機１には、子機操作部１００、カメラ１０１、子機マイク１０２及び子機スピーカ１０３が備えられている。
【００１７】
この子機１において、子機操作部１００は、住戸内に居る人物、例えば、住戸内に在室中の居住者を呼び出す来訪者が呼出操作を行うものである。また、カメラ１０１は、呼出操作を行った来訪者の映像や住戸外の周囲近傍の映像を撮像するためのものであり、例えば、ＣＣＤ、ＣＭＯＳ等の各種の撮像媒体が好適とされる。また、子機マイク１０２及び子機スピーカ１０３は、来訪者が居住者との間で通話を成立させるにあたり、音声（送話音声、受話音声）を入出力するためのものであって、この子機スピーカ１０３は、住戸外の周囲近傍音を集音することもできる。
【００１８】
また、図１に示す親機２には、親機モニタ２００、親機マイク２０１、親機スピーカ２０２、親機操作部２０３、親機接触部２０４及び親機無線通信部２０５が備えられている。
【００１９】
この親機２において、親機モニタ２００は、子機１のカメラ１０１にて撮像された映像を出画するとともに、親機操作部２０３の使用による操作情報等を表示することができ、例えば、ＬＣＤ、ＰＤＰ、有機ＥＬディスプレイ等の各種の表示媒体が好適とされる。また、親機マイク２０１及び親機スピーカ２０２は、当該親機を使用する居住者が来訪者又は無線端末３ａ、３ｂを使用する別途の居住者との間で通話を成立させるにあたり、音声（送話音声、受話音声）を入出力するためのものであって、この親機スピーカ２０２は、子機１からの呼び出し又は無線端末３ａ、３ｂからの呼び出し（内線呼び出し）を示す呼出音や音声メッセージ等を出力することができる。また、親機操作部２０３は、来訪者による子機１からの呼び出しがあること又は別途の居住者による無線端末３ａ、３ｂからの呼び出し（内線呼び出し）があることを確認した居住者が応答して通話を成立させるための応答操作、成立中の通話を終了させるための終話操作、子機１のカメラ１０１を駆動制御し、このカメラ１０１にて撮像された映像を親機モニタ２００に出画させるためのモニタ操作、無線端末３ａ、３ｂに割り当てるべき当該無線端末固有の端末ＩＤの設定操作等がそれぞれ行われるものである。また、親機接触部２０４は、親機操作部２０３と一体で設けられており、無線端末３ａ、３ｂ固有の端末ＩＤを割り当てる初期設定を行うにあたり、人体の部位、例えば、指が接触されるものである。さらに、親機無線通信部２０５は、無線端末３ａ、３ｂの後述する端末無線通信部３０５との間で無線信号を送受信して無線通信を行うためのものであり、例えば、アンテナが備えられている。
【００２０】
さらに、図１に示す無線端末３ａ、３ｂはそれぞれ、同様な構成で固有の端末ＩＤが割り当てられるものであり、端末モニタ３００、端末マイク３０１、端末スピーカ３０２、端末操作部３０３、端末接触部３０４及び端末無線通信部３０５が備えられている。
【００２１】
この無線端末３ａ、３ｂにおいて、端末モニタ３００は、子機１のカメラ１０１にて撮像された映像を出画するとともに、端末操作部３０３の使用による操作情報等を表示することができ、例えば、ＬＣＤ、ＰＤＰ、有機ＥＬディスプレイ等の各種の表示媒体が好適とされる。また、端末マイク３０１及び端末スピーカ３０２は、当該無線端末を使用する居住者が来訪者又は親機２を使用する別途の居住者との間で通話を成立させるにあたり、音声（送話音声、受話音声）を入出力するためのものであって、この端末スピーカ３０２は、子機１からの呼び出し又は親機２からの呼び出し（内線呼び出し）を示す呼出音や音声メッセージ等を出力することができる。また、端末操作部３０３は、来訪者による子機１からの呼び出しがあること又は別途の居住者による親機２からの呼び出し（内線呼び出し）があることを確認した居住者が応答して通話を成立させるための応答操作、成立中の通話を終了させるための終話操作、子機１のカメラ１０１を駆動制御し、このカメラ１０１にて撮像された映像を端末モニタ３００に出画させるためのモニタ操作、自無線端末３ａ、３ｂに割り当てるべき当該無線端末固有の端末ＩＤの設定操作等がそれぞれ行われるものである。また、端末接触部３０４は、端末操作部３０３と一体で設けられており、自無線端末３ａ、３ｂ固有の端末ＩＤを割り当てる初期設定を行うにあたり、人体の部位、例えば、指が接触されるものである。さらに、端末無線通信部３０５は、親機２の親機無線通信部２０５との間で無線信号を送受信して無線通信を行うものであり、例えば、アンテナが備えられている。
【００２２】
次に、図２のブロック図を参照して、前述の子機１、親機２及び無線端末３ａ、３ｂのそれぞれの具体的な構成について説明する。
【００２３】
図２に示す子機１には、前述の子機操作部１００、カメラ１０１、子機マイク１０２及び子機スピーカ１０３と、子機映像処理部１０４と、子機音声処理部１０５と、子機Ｉ／Ｆ（インターフェース）１０６とが備えられている。
【００２４】
この子機１において、子機映像処理部１０４は、カメラ１０１にて撮像された映像である電気信号の映像信号について所定の信号処理を行う例えば、ＦＭ変調や増幅等を行うものである。また、子機音声処理部１０５は、子機マイク１０２及び子機スピーカ１０３にて入出力される音声（送話音声、受話音声）である音声信号について所定の信号処理を行う例えば、４線／２線変換、２線／４線変換や増幅等を行うものである。さらに、子機Ｉ／Ｆ１０６は、子機操作部１００から伝送路Ｌへの信号伝送ライン、子機映像処理部１０４から伝送路Ｌへの信号伝送ライン、子機音声処理部１０５及び伝送路Ｌの間の信号伝送ラインをそれぞれ形成するためのものである。
【００２５】
また、図２に示す親機２には、前述の親機モニタ２００、親機マイク２０１、親機スピーカ２０２、親機操作部２０３、親機接触部２０４及び親機無線通信部２０５と、親機映像処理部２０６と、親機音声処理部２０７と、親機記憶部２０８と、親機ＣＰＵ２０９と、親機Ｉ／Ｆ２１０とが備えられている。
【００２６】
この親機２において、親機映像処理部２０６は、親機ＣＰＵ２０９により制御され、子機１から伝送路Ｌを経由して伝送されてくる映像信号について所定の信号処理を行う例えば、ＦＭ復調や増幅等を行うものである。また、親機音声処理部２０７は、親機ＣＰＵ２０９により制御され、親機マイク２０１及び親機スピーカ２０２にて入出力される音声（送話音声、受話音声）である音声信号について所定の信号処理を行う例えば、４線／２線変換、２線／４線変換や増幅等を行うものである。また、親機記憶部２０８は、親機ＣＰＵ２０９により制御され、無線端末３ａ、３ｂ固有の端末ＩＤを保存するためのものであり、例えば、ＲＡＭ、ＥＥＰＲＯＭ等の各種の記憶媒体が好適とされる。また、親機ＣＰＵ２０９は、マルチタスク機能が備えられており、当該親機の構成各部を制御するためのものである。さらに、親機Ｉ／Ｆ２１０は、伝送路Ｌから親機映像処理部２０６への信号伝送ライン、親機音声処理部２０７及び伝送路Ｌの間の信号伝送ライン、親機ＣＰＵ２０９及び伝送路Ｌの間の信号伝送ラインをそれぞれ形成するためのものである。
【００２７】
なお、親機２の親機ＣＰＵ２０９に備えられるマルチタスク機能とは、同時に複数の処理を平行して行う機能として定義されるものである。
【００２８】
さらに、図２に示す無線端末３ａ、３ｂには、前述の端末モニタ３００、端末マイク３０１、端末スピーカ３０２、端末操作部３０３、端末接触部３０４及び端末無線通信部３０５と、端末映像処理部３０６と、端末音声処理部３０７と、端末記憶部３０８と、端末ＣＰＵ３０９とが備えられている。
【００２９】
この無線端末３ａ、３ｂにおいて、端末映像処理部３０６は、端末ＣＰＵ３０９により制御され、子機１から伝送路Ｌ、親機２を経由して伝送されてくる映像信号について所定の信号処理を行う例えば、ＦＭ復調や増幅等を行うものである。また、端末音声処理部３０７は、端末ＣＰＵ３０９により制御され、端末マイク３０１及び端末スピーカ３０２にて入出力される音声（送話音声、受話音声）である音声信号について所定の信号処理を行う例えば、４線／２線変換、２線／４線変換や増幅等を行うものである。また、端末記憶部３０８は、端末ＣＰＵ３０９により制御され、自無線端末３ａ、３ｂ固有の端末ＩＤを保存するためのものであり、例えば、ＲＡＭ、ＥＥＰＲＯＭ等の各種の記憶媒体が好適とされる。さらに、端末ＣＰＵ３０９は、当該無線端末の構成各部を制御するためのものである。
【００３０】
このように構成された本発明の実施例によるワイヤレスインターホンシステムにおいて、以下、具体的な動作について、図１、図２及び図３（Ａ）、（Ｂ）の各説明図を参照して説明する。なお、図３（Ａ）、（Ｂ）の各説明図は、無線端末３ａ、３ｂに割り当てるべき当該無線端末固有の端末ＩＤの初期設定を行う場合における操作の態様例をそれぞれ示す図である。
【００３１】
図１、図２にそれぞれ示す無線端末３ａ、３ｂ固有の端末ＩＤについて初期設定を行う、ここでは、無線端末３ａ→無線端末３ｂの順序で初期設定を行うにあたって、設定操作者である人物、例えば、住戸内に在室中の居住者又は設定業者の人体Ｐは、図３（Ａ）に示すように、親機２の親機操作部２０３と一体的に設けられている親機接触部２０４に例えば、左手の指を接触し、無線端末３ａの端末操作部３０３と一体的に設けられている端末接触部３０４に例えば、右手の指を接触させ、それぞれの接触部２０４、３０４に対して人体Ｐの部位による接触操作を行う。この接触状態は、親機２の親機ＣＰＵ２０９及び無線端末３ａの端末ＣＰＵ３０９にてそれぞれ検出され、親機ＣＰＵ２０９と、親機接触部２０４、人体Ｐ、端末接触部３０４を経由して端末ＣＰＵ３０９との間に微弱電波が流されることで通信路が形成する。
【００３２】
この後、図２に示す親機２の親機ＣＰＵ２０９及び無線端末３ａの端末ＣＰＵ３０９はそれぞれ、自ＣＰＵ２０９、３０９に接続される親機操作部２０３及び端末操作部３０３のうち何れか１の当該操作部にて行われる設定操作の有無を検出する。ここでは、同図、図１にそれぞれ示す親機操作部２０３にて設定操作が行われたとすると、この操作がトリガとなり、親機ＣＰＵ２０９は、親機操作部２０３や例えば、図示しないトグルスイッチ等の使用により予め設定された端末ＩＤ、或いは前述の接触状態時に設定された端末ＩＤを、初期設定で無線端末３ａに割り当てるべき端末ＩＤとして親機記憶部２０８に保存するとともに、前述の通信路を経由して無線端末３ａの端末ＣＰＵ３０９に送信することができ、端末ＣＰＵ３０９の制御により、初期設定で自無線端末３ａに割り当てるべき端末ＩＤとして端末記憶部３０８に保存されることになる。
【００３３】
一方、図１、図２にそれぞれ示す無線端末３ａの端末操作部３０３にて設定操作が行われたとすると、この操作がトリガとなり、端末ＣＰＵ３０９は、端末操作部３０３や例えば、図示しないトグルスイッチ等の使用により予め設定された端末ＩＤ、或いは前述の接触状態時に設定された端末ＩＤを、初期設定で自無線端末３ａに割り当てるべき端末ＩＤとして端末記憶部３０８に保存するとともに、前述の通信路を経由して親機２の親機ＣＰＵ２０９に送信することができ、親機ＣＰＵ２０９の制御により、初期設定で無線端末３ａに割り当てるべき端末ＩＤとして親機記憶部２０８に保存されることになる。
【００３４】
次に、前述までの無線端末３ａ固有の端末ＩＤについての初期設定が行われた後、無線端末３ｂ固有の端末ＩＤについて初期設定を行うにあたって、人体Ｐは、図３（Ｂ）に示すように、親機２の親機操作部２０３と一体的に設けられている親機接触部２０４に例えば、左手の指を接触し、無線端末３ｂの端末操作部３０３と一体的に設けられている端末接触部３０４に例えば、右手の指を接触させるように、それぞれの接触部２０４、３０４に対して人体Ｐの部位による接触操作を行う。この接触状態は、図２に示す親機２の親機ＣＰＵ２０９及び無線端末３ｂの端末ＣＰＵ３０９にてそれぞれ検出され、親機ＣＰＵ２０９と、親機接触部２０４、居住者Ｐの人体、端末接触部３０４を経由して端末ＣＰＵ３０９との間に微弱電波が流されることで通信路が形成する。
【００３５】
この後、図２に示す親機２の親機ＣＰＵ２０９及び無線端末３ｂの端末ＣＰＵ３０９はそれぞれ、自ＣＰＵ２０９、３０９に接続される親機操作部２０３及び端末操作部３０３のうち何れか１の当該操作部にて行われる設定操作の有無を検出する。ここでは、同図、図１にそれぞれ示す親機操作部２０３にて設定操作が行われたとすると、この操作がトリガとなり、親機ＣＰＵ２０９は、親機操作部２０３や例えば、図示しないトグルスイッチ等の使用により予め設定された端末ＩＤ、或いは前述の接触状態時に設定された端末ＩＤを、初期設定で無線端末３ｂに割り当てるべき端末ＩＤとして親機記憶部２０８に保存するとともに、前述の通信路を経由して無線端末３ｂの端末ＣＰＵ３０９に送信することができ、端末ＣＰＵ３０９の制御により、初期設定で自無線端末３ｂに割り当てるべき端末ＩＤとして端末記憶部３０８に保存されることになる。
【００３６】
一方、図１、図２に無線端末３ｂの端末操作部３０３にて設定操作が行われたとすると、この操作がトリガとなり、端末ＣＰＵ３０９は、端末操作部３０３や例えば、図示しないトグルスイッチ等の使用により予め設定された端末ＩＤ、或いは前述の接触状態時に設定された端末ＩＤを、初期設定で自無線端末３ｂに割り当てるべき端末ＩＤとして端末記憶部３０８に保存するとともに、前述の通信路を経由して親機２の親機ＣＰＵ２０９に送信することができ、親機ＣＰＵ２０９の制御により、初期設定で無線端末３ｂに割り当てるべき端末ＩＤとして親機記憶部２０８に保存されることになる。
【００３７】
次に、前述までの無線端末３ａ固有の端末ＩＤについての初期設定が行われた後、無線端末３ｂの固有の端末ＩＤについての初期設定として、この端末ＩＤのデータ送信による端末ＩＤ設定中であるとき、住戸内に在室中の居住者を呼び出すにあたり、住戸外に居る来訪者が図１、図２にそれぞれ示す子機１の子機操作部１００を使用して呼出操作を行うと、子機操作部１００から子機Ｉ／Ｆ１０６、伝送路Ｌ、親機２の親機Ｉ／Ｆ２１０を経由して親機ＣＰＵ２０９に呼出信号が送信される。
【００３８】
ここで、図２に示す親機２の親機ＣＰＵ２０９は、マルチタスク機能が備えられているため、端末３ｂの固有の端末ＩＤについての初期設定による端末ＩＤ設定と、子機１からの呼出信号を受信することによる来訪者からの呼び出しを検出して呼出報知を行う動作とを同時に平行して行うことができる。具体的に、親機ＣＰＵ２０９は、端末ＩＤ設定中として前述の通信路の形成を行い、初期設定で無線端末３ｂに割り当てるべき端末ＩＤを親機記憶部２０８に保存することができ、これと同時に、来訪者による子機１からの呼び出しを示す呼出音や音声メッセージ等の親機スピーカ２０２からの出力動作と、子機１のカメラ１０１にて撮像され子機映像処理部１０４、子機Ｉ／Ｆ１０６、伝送路Ｌ、親機Ｉ／Ｆ２１０、親機映像処理部２０６を経由して伝送されてくる映像信号の親機モニタ２００への出画動作と、前述の呼出信号及び映像信号に親機記憶部２０８から読み出した無線端末３ａに割り当てられている固有の端末ＩＤを付加させた無線信号を親機無線通信部２０５から無線送信する動作とをそれぞれ、並行して行うことができる。
【００３９】
また、図１、図２にそれぞれ示す親機２の親機無線通信部２０５から無線通信された無線信号は、無線端末３ａ、３ｂの端末無線通信部３０５にてそれぞれ受信され、電気信号に変換された後、端末ＣＰＵ３０９に送信される。ここで、無線端末３ｂの端末ＣＰＵ３０９は、自端末ＣＰＵ３０９の制御による初期設定が行われている端末ＩＤ設定中であり、自無線端末３ｂ固有の端末ＩＤが端末記憶部３０８に予め保存されていないため、受信した電気信号が無効とされる。一方、無線端末３ａの端末ＣＰＵ３０９は、受信した電気信号に付加されている端末ＩＤと、端末記憶部３０８に予め保存されている端末ＩＤとが一致し、親機２を経由した子機１からの呼出信号及び映像信号がそれぞれ有効となり、来訪者からの呼び出しがあることを示す呼出音や音声メッセージ等を端末スピーカ３０２から出力させるとともに、端末モニタ３００及び端末映像処理部３０６がそれぞれ能動となり、子機１のカメラ１０１にて撮像された映像信号が端末モニタ３００に出画されることになる。
【００４０】
なお、図１、図２にそれぞれ示す親機２の親機モニタ２００及び無線端末３ａの端末モニタ３００には、各ＣＰＵ２０９、３０９の制御により、来訪者による子機１からの呼び出しがあることを示す文字メッセージや絵データ等を出画させることもできる。
【００４１】
また、前述までの説明から明らかなように、来訪者による子機１からの呼び出しがあることを、この来訪者の映像とともに確認することができた居住者は、図１、図２にそれぞれ示す親機２の親機操作部２０３及び無線端末３ａの端末操作部３０３のうち何れか１の当該操作部を使用して応答操作を行うことができる。具体的に、無線端末３ａの端末操作部３０３にて応答操作が行われる前に、親機２の親機操作部２０３を使用して応答操作が行われると、この操作を検出した親機ＣＰＵ２０９の制御によって親機音声処理部２０７が能動となり、親機マイク２０１及び親機スピーカ２０２と、親機音声処理部２０７、親機Ｉ／Ｆ２１０、伝送路Ｌ、子機１の子機Ｉ／Ｆ１０６、子機音声処理部１０５を経由して子機マイク１０２及び子機スピーカ１０３との間の通信路が形成され、形成された通信路を経由して音声（送話音声、受話音声）信号を送受信させることにより、親機２の親機操作部２０３を使用して応答操作を行った居住者と来訪者との間で通話が成立する。
【００４２】
一方、図１、図２にそれぞれ示す親機２の親機操作部２０３にて応答操作が行われる前に、無線端末３の端末操作部３０３を使用して応答操作が行われると、この操作を検出した端末ＣＰＵ３０９の制御によって端末音声処理部３０７が能動となり、端末マイク３０１及び端末スピーカ３０２と、端末音声処理部３０７、端末無線通信部３０５、親機２の親機無線通信部２０５、親機ＣＰＵ２０９、親機Ｉ／Ｆ２１０、伝送路Ｌ、子機１の子機Ｉ／Ｆ１０６、子機音声処理部１０５を経由して子機マイク１０２及び子機スピーカ１０３との間の通信路が形成され、形成された通信路を経由して音声（送話音声、受話音声）信号を送受信させることにより、無線端末３ａの端末操作部３０３を使用して応答操作を行った居住者と来訪者との間で通話が成立する。
【００４３】
本発明のワイヤレスインターホンシステムによれば、特定の実施の形態をもって説明してきたが、この形態に限定されるものでなく、本発明の効果を奏する限り、これまで知られた如何なる構成の当該装置であっても採用できるということはいうまでもないことである。
【００４４】
具体的には、本発明のワイヤレスインターホンシステムによれば、無線端末３ａ、３ｂ固有の端末ＩＤをデータ送信するための操作部を、親機操作部２０３及び端末操作部３０３として親機２及び当該無線端末にそれぞれ備えたが、この態様に限定されず、親機２及び無線端末３ａ、３ｂのうち少なくとも一方に備える態様も好適とされる。
【００４５】
また、本発明のワイヤレスインターホンシステムによれば、親機接触部２０４及び端末接触部３０４をそれぞれ、親機２の親機操作部２０３及び無線端末３ａ、３ｂの端末操作部３０３と一体で設けたが、この態様に限定されず、例えば、親機２の筐体側面や無線端末３ａ、３ｂの筐体裏面に備えることもでき、配置位置の自由度が高められる。
【００４６】
また、本発明のワイヤレスインターホンシステムによれば、映像撮像／処理機能を構成するカメラ１０１及び子機映像処理部１０４がそれぞれ備えられた子機１、映像処理機能を構成する親機映像処理部２０６、端末映像処理部３０６がそれぞれ備えられた親機１、無線端末３ａ、３ｂを適用したが、この態様に限定されず、これら映像撮像／処理機能、映像処理機能が不備とされる当該子機、当該親機及び当該増設親機も好適とされる。
【００４７】
また、本発明のワイヤレスインターホンシステムによれば、子機１及び親機２の間を、伝送路Ｌを経由した有線接続を適用したが、この態様に限定されず、無線接続により無線通信で構成することもできる。
【００４８】
さらに、本発明のワイヤレスインターホンシステムによれば、複数の無線端末として、２台の無線端末３ａ、３ｂに限定して説明したが、この態様に限定されず、より複数台の当該無線端末を適用することもできる。
【図面の簡単な説明】
【００４９】
【図１】図１は、本発明の実施例によるワイヤレスインターホンシステムの全体構成を示すシステム説明図である。
【図２】図２は、本発明の実施例によるワイヤレスインターホンシステムの具体的な構成を示すブロック図。
【図３】図（Ａ）、（Ｂ）はそれぞれ、本発明の実施例によるワイヤレスインターホンシステムにおいて、無線端末に割り当てるべき当該無線端末固有の端末ＩＤの初期設定を行う場合における操作の態様例を示す説明図である。
【符号の説明】
【００５０】
１……子機
２……親機
２０３……親機操作部（操作部）
２０４……親機接触部
２０８……親機記憶部（記憶部）
２０９……親機ＣＰＵ
３ａ、３ｂ……複数の無線端末
３０３……端末操作部（操作部）
３０４……端末接触部
３０８……端末記憶部（記憶部）
３０９……端末ＣＰＵ
【図１】
2010057060.tif 000003
【図２】
2010057060.tif 000004
【図３】
2010057060.tif 000005